(57)【要約】【課題】実際の入浴時刻が入浴予測時刻と異なった場合でも、停止及び再起動を伴わないコージェネレーションシステム及び制御方法の提供。【解決手段】熱電併給装置（１）と、蓄熱装置（２）と、蓄熱量計測装置（Ｔ５〜Ｔ９）と、消費熱量計測装置（Ｆ１、Ｔ２）と、制御装置（４）とを備え、制御装置（４）は、熱需要を入浴に関する熱需要とそれ以外の熱需要とに分類し、所定のタイミングで熱需要を予測して運転計画を作成し、蓄熱装置（２）の蓄熱量と予測される熱需要とに基づいて運転・停止を判断する様に構成されていると共に、入浴予測時刻に入浴に関する熱需要が発生しない場合に入浴予測時刻を当初の入浴予測時刻以降に変更し、変更後に予測される熱需要と蓄熱装置の蓄熱量とに基づいて運転・停止を判断する制御を行う。【選択図】図１
2008032245.tif 000002
【特許請求の範囲】
【請求項１】
熱電併給装置と、熱電併給装置で発生した熱を蓄熱する蓄熱装置と、蓄熱装置の蓄熱量を計測する蓄熱量計測装置と、熱需要における消費熱量を計測する消費熱量計測装置と、制御装置とを備え、制御装置は、熱需要を入浴に関する熱需要とそれ以外の熱需要とに分類し、所定のタイミングで熱需要を予測して運転計画を作成し、蓄熱装置の蓄熱量と予測される熱需要とに基づいて運転・停止を判断する様に構成されていると共に、運転計画における入浴予測時刻に入浴に関する熱需要が発生しない場合に入浴予測時刻を当初の入浴予測時刻以降に変更し、当該変更後に予測される熱需要と蓄熱装置の蓄熱量とに基づいて運転・停止を判断する制御を行う様に構成されていることを特徴とするコージェネレーションシステム。
【請求項２】
熱電併給装置と、熱電併給装置で発生した熱を蓄熱する蓄熱装置と、蓄熱装置の蓄熱量を計測する蓄熱量計測装置と、熱需要における消費熱量を計測する消費熱量計測装置と、制御装置とを備え、制御装置は、熱需要を入浴に関する熱需要とそれ以外の熱需要とに分類し、所定のタイミングで熱需要を予測して運転計画を作成し、蓄熱装置の蓄熱量と予測される熱需要とに基づいて運転・停止を判断する様に構成されていると共に、運転計画における入浴予測時刻に入浴に関する熱需要が発生しない場合に入浴予測時刻を当初の入浴予測時刻以降に変更し、当該変更後は蓄熱装置の蓄熱量が閾値を超えたか否かにより運転・停止を判断する制御を行う様に構成されていることを特徴とするコージェネレーションシステム。
【請求項３】
前記制御装置は、運転計画における入浴予測時刻前に入浴に関する熱需要が発生した場合は入浴予測時刻に予測される消費熱量をゼロに設定する制御を行う様に構成されている請求項１、２の何れかのコージェネレーションシステム。
【請求項４】
前記制御装置は、運転計画における入浴予測時刻が到達する以前の段階で入浴に関する熱需要の開始予約が行われた場合には、入浴予測時刻を熱需要の開始予約時刻に置換する制御を行う様に構成されている請求項１〜３の何れか１項のコージェネレーションシステム。
【請求項５】
熱電併給装置と、熱電併給装置で発生した熱を蓄熱する蓄熱装置と、蓄熱装置の蓄熱量を計測する蓄熱量計測装置と、熱需要における消費熱量を計測する消費熱量計測装置と、制御装置とを備えたコージェネレーションシステムの制御方法において、熱需要を入浴に関する熱需要とそれ以外の熱需要とに分類し、所定のタイミングで熱需要を予測して運転計画を作成し、蓄熱装置の蓄熱量と予測される熱需要とに基づいて運転・停止を判断し、運転計画における入浴予測時刻に入浴に関する熱需要が発生しない場合に入浴予測時刻を当初の入浴予測時刻以降に変更し、当該変更後に予測される熱需要と蓄熱装置の蓄熱量とに基づいて運転・停止を判断することを特徴とするコージェネレーションシステムの制御方法。
【請求項６】
熱電併給装置と、熱電併給装置で発生した熱を蓄熱する蓄熱装置と、蓄熱装置の蓄熱量を計測する蓄熱量計測装置と、熱需要における消費熱量を計測する消費熱量計測装置と、制御装置とを備えたコージェネレーションシステムの制御方法において、熱需要を入浴に関する熱需要とそれ以外の熱需要とに分類し、所定のタイミングで熱需要を予測して運転計画を作成し、蓄熱装置の蓄熱量と予測される熱需要とに基づいて運転・停止を判断し、運転計画における入浴予測時刻に入浴に関する熱需要が発生しない場合に入浴予測時刻を当初の入浴予測時刻以降に変更し、当該変更後は蓄熱装置の蓄熱量が閾値を超えたか否かにより運転・停止を判断することを特徴とするコージェネレーションシステムの制御方法。
【請求項７】
運転計画における入浴予測時刻前に入浴に関する熱需要が発生した場合は入浴予測時刻に予測される消費熱量をゼロに設定する請求項５、６の何れかのコージェネレーションシステムの制御方法。
【請求項８】
運転計画における入浴予測時刻が到達する以前の段階で入浴に関する熱需要の開始予約が行われた場合には、入浴予測時刻を熱需要の開始予約時刻に置換する請求項５〜７の何れか１項のコージェネレーションシステムの制御方法。
【発明の詳細な説明】
【技術分野】
【０００１】
本発明は、燃料電池システムやガスエンジンコージェネレーションシステムの様なコージェネレーションシステム（熱電併給システム）の制御技術であって、特に、一般家庭の様に入浴が最大の熱需要であるコージェネレーションシステムの運転制御技術に関する。
【背景技術】
【０００２】
例えば、燃料電池やガスエンジンのような熱電併給装置を備えたコージェネレーションシステムにおいて、将来（現時点以降）の電力需要・熱需要を、現在までの実績値を参照して予測し、この需要予測に基づいて省エネルギー、ＣＯ２排出量削減、省コスト等を目指した自動運転例が提案されている（例えば特許文献１参照）。
【０００３】
このような自動運転では、定期的に（一定周期で：例えば、１０分毎に）運転計画が立てられる。すなわち、その時点までの熱需要・電力需要の実績から今後の熱需要・電力需要を予測し、その時点の蓄熱量と合わせて、「運転する」、「運転しない」の判断を行う。
そうした運転では、特に熱需要とその発生時刻を精度良く予測し、熱需要の発生時には、当該熱需要を賄うに足りるだけの熱量が、例えば貯湯槽等に蓄熱されていることが、エネルギー節約の点から望ましい。
【０００４】
通常、一般家庭の熱需要と電力需要との比率（需要の熱電比=熱需要／電力需要）は、コージェネレーションシステムが供給出来る熱量と電力量との比（供給の熱電比）よりも小さい。換言すれば、熱需要が電力需要に比較して低い。
従って、上述したような自動運転では、熱需要を賄うのに必要な程度だけコージェネレーションシステムを運転し、コージェネレーションシステムによる発電のみでは賄いきれない電力需要については、系統電力を利用する運転（熱主電従運転）が行われる。この場合、熱需要が小さければ、蓄熱量が限界値或いは運転停止設計値に達する前であっても、コージェネレーションシステムの運転を停止することもあり得る。
【０００５】
一般家庭では入浴時の熱需要が最大の熱需要であり、且つ、入浴は凡そ決まった時間帯に行われ、規則性が高い。そのため、上述したような熱需要や電力需要を予測して自動運転を行う場合には、入浴についての熱需要を出来るだけ精度良く予測することが、重要である。
そのため、上述した従来技術（特許文献１）では、入浴に関わる熱需要（風呂張り）を、その他の熱需要と分類して記憶することにより、熱需要の予測精度の向上を果たしている。
【０００６】
しかし、予測された入浴のタイミング（入浴予測時刻）と、実際の入浴のタイミングとは、必ずしも一致するものではない。そして入浴に関わる熱需要（風呂張り）を、その他の熱需要と分類して記憶して熱需要の予測を行う従来技術（特許文献１）においては、例えば１８時に風呂張りと予測していた場合に、入浴時間が遅くなって実際には２１時に入浴した場合には、コージェネレーションシステムが停止、再起動を繰り返してしまうようなケースがある。
【０００７】
以下、図１０及び図１１を参照して、その様な従来技術（特許文献１）の問題点について、説明する。
最初に図１０を参照して、上述した従来技術（特許文献１）に係るコージェネレーションシステムの運転制御を説明する。
【０００８】
図１０において、ステップＳ９１では、運転計画を作成するタイミングになったか否かを判断する。運転計画を作成するタイミングになっていなければ、そのまま待機し（ステップＳ９１がＮＯのループ）、運転計画を作成するタイミングになった時には（ステップＳ９１がＹＥＳ）、貯湯槽の蓄熱量を測定し、そして、熱需要及び電力需要を予測する（ステップＳ９２）。
【０００９】
ステップＳ９３では、測定された貯湯槽の蓄熱量が予測熱需要に対して十分であるか否かを判断する。
測定された貯湯槽の蓄熱量が予測熱需要に対して十分であれば（ステップＳ９３がＹＥＳ）、コージェネレーションシステムを停止し、或いは停止状態を続行する（運転しない：ステップＳ９４）。そして、ステップＳ９１まで戻る。
【００１０】
測定された貯湯槽の蓄熱量が予測熱需要に対して十分でなければ（ステップＳ９３がＮＯ）、当該蓄熱量が閾値（この場合は限界値或いは運転停止設計値）に到達したか否かを判断する（ステップＳ９５）。
蓄熱量が限界値或いは運転停止設計値に到達したならば（ステップＳ９５がＹＥＳ）、コージェネレーションシステムを停止し、或いは停止状態を続行して（運転しない：ステップＳ９４）、ステップＳ９１まで戻る。
蓄熱量が限界値或いは運転停止設計値に到達していなければ（ステップＳ９５がＮＯ）、コージェネレーションシステムを運転し或いは運転を続行して（ステップＳ９６）、ステップＳ９１まで戻る。
【００１１】
図１０の運転制御方法では、入浴予測時刻（例えば午後５時）に入浴しなかった場合、入浴予測時刻以降に運転計画のタイミングになった際（例えば、午後５時１０分）において、貯湯槽には入浴による熱需要に備えて大量に蓄熱されている。一方、入浴予測時刻を経過しているので、入浴による熱需要は予測熱需要には含まれない。
その結果、ステップＳ９３においては、蓄熱量が予測熱需要に対して過剰であると判断され（ステップＳ９３がＹＥＳ）、コージェネレーションシステムは停止してしまう（ステップＳ９４）。
【００１２】
その後、入浴予測時刻よりも遅い時刻（例えば午後６時３０分）に入浴した場合には、風呂張り等で大量の熱需要が発生する。従って、実際の入浴が行われた後に運転計画のタイミングになると（例えば、午後６時４０分）、ステップＳ９２において、予測されていない大量の熱需要が生じていると判断され、その時点における予測熱需要が非常に大きな値となる。
予測熱需要が非常に大きな値となるため、ステップＳ９５において、貯湯槽内の蓄熱量は予測熱需要に対して十分ではないと判定され（ステップＳ９５がＮＯ）、上述したように停止してしまったコージェネレーションシステムの運転が再開されてしまう（ステップＳ９６）。
【００１３】
上述した様なコージェネレーションシステムの運転停止と、運転の再開は、最適なものとは言い得ない。そして、コージェネレーションシステムにおいて、運転開始、停止の回数を多くすることは、機械の寿命に悪影響を及ぼしてしまう。
それと共に、運転開始に当っては起動のためのエネルギーを消費してしまうので、コージェネレーションの停止及び起動の回数が増加することは、省エネルギーの要請に反する結果となってしまう。
【００１４】
図１１は、図１０の運転制御方法でシステムを運転した場合で、且つ、予測時刻に（午後５時直前）に風呂張りを開始しなかった場合の、１日における発電電力の変化（図１１における太い実線）、電力需要の変化（図１１の点線）、貯湯層の蓄熱率の変化（図１１では２点鎖線で示す）を示している。
図１１によれば、１７時直前に風呂張りを開始せず、それよりも僅かに遅れて１７時に風呂張りを開始したため、１７時における運転計画のタイミングにおいて、蓄熱量が予想熱需要に対して過剰であると判定されて、図１１の符号「Ｔ１」で示す時刻に燃料電池の運転が停止されている。
【００１５】
予測時刻よりも遅く、１７時に風呂張りが開始された場合には、制御側は、当該風呂張りによる熱需要を風呂張りによる熱需要とは見なさず、「突然生じた熱需要」であると判定する。そして制御側は、１７時に開始された風呂張りにより減少した蓄熱量は、当該「係る突然生じた熱需要」に対して、十分ではないと判定して、１８：３０頃にコージェネレーションシステムの運転を再開してしまう（図１１の符号「Ｔ２」）。
【００１６】
図１１で示すように、１日の内に２回以上、燃料電池の起動・停止を行うような運転状況は、上述した様に、省エネルギーの要請に反し、且つ、システムの耐久性或いは寿命の点で不適当である。
【特許文献１】特開２００５−１４７６３８号公報
【発明の開示】
【発明が解決しようとする課題】
【００１７】
本発明は上述した従来技術の問題点に鑑みて提案されたものであり、実際の入浴時刻が入浴予測時刻と異なった場合でも、不必要な停止と再起動を伴うことがないコージェネレーションシステム及びその制御方法の提供を目的としている。
【課題を解決するための手段】
【００１８】
本発明のコージェネレーションシステムは、熱電併給装置（１：例えば、燃料電池、ガスエンジン等）と、熱電併給装置（１）で発生した熱を蓄熱する蓄熱装置（貯湯槽２）と、蓄熱装置（２）の蓄熱量を計測する蓄熱量計測装置（Ｔ５〜Ｔ９）と、熱需要における消費熱量を計測する消費熱量計測装置（流量計Ｆ１、温度センサＴ２）と、制御装置（コントロールユニット４）とを備え、制御装置（４）は、熱需要を入浴に関する熱需要（「風呂張り需要」等Ｄｂ）とそれ以外の熱需要（Ｄｇ）とに分類し、所定のタイミングで熱需要を予測して運転計画を作成し、蓄熱装置（２）の蓄熱量と予測される熱需要（予測熱需要）とに基づいて運転・停止を判断する様に構成されていると共に、運転計画における入浴予測時刻に入浴に関する熱需要（Ｄｂ）が発生しない場合（入浴予測時刻にユーザーが入浴しない場合）に入浴予測時刻を当初の入浴予測時刻以降に変更し、当該変更後に予測される熱需要（予測熱需要）（Ｄｂ）と蓄熱装置（２）の蓄熱量とに基づいて運転・停止を判断する制御を行う様に構成されていることを特徴としている（請求項１）。
【００１９】
また本発明のコージェネレーションシステムは、熱電併給装置（１：例えば、燃料電池、ガスエンジン等）と、熱電併給装置（１）で発生した熱を蓄熱する蓄熱装置（貯湯槽２）と、蓄熱装置（２）の蓄熱量を計測する蓄熱量計測装置（Ｔ５〜Ｔ９）と、熱需要における消費熱量を計測する消費熱量計測装置（流量計Ｆ１、温度センサＴ２）と、制御装置（コントロールユニット４）とを備え、制御装置（４）は、熱需要を入浴に関する熱需要（「風呂張り需要」等Ｄｂ）とそれ以外の熱需要（Ｄｇ）とに分類し、所定のタイミングで熱需要を予測して運転計画を作成し、蓄熱装置（２）の蓄熱量と予測される熱需要（予測熱需要）とに基づいて運転・停止を判断する様に構成されていると共に、運転計画における入浴予測時刻に入浴に関する熱需要（Ｄｂ）が発生しない場合（入浴予測時刻にユーザーが入浴しない場合）に入浴予測時刻を当初の入浴予測時刻以降に変更し、当該変更後は蓄熱装置（２）の蓄熱量が閾値（いわゆる「満タン」の蓄熱量、予めユーザーにより設定された蓄熱量等）を超えたか否かにより運転・停止を判断する制御を行う様に構成されていることを特徴としている（請求項２）。
【００２０】
本発明のコージェネレーションシステムにおいて、前記制御装置（４）は、運転計画における入浴予測時刻前に入浴に関する熱需要（Ｄｂ）が発生した場合（入浴予測時刻よりも早い時刻にユーザーが入浴した場合）は入浴予測時刻に予測される消費熱量（入浴予測熱量）をゼロに設定する制御を行う様に構成されているのが好ましい（請求項３）。
【００２１】
また、本発明のコージェネレーションシステムにおいて、前記制御装置（４）は、運転計画における入浴予測時刻が到達する以前の段階で入浴に関する熱需要（Ｄｂ）の開始予約（風呂張り予約）が行われた場合には、入浴予測時刻を熱需要（Ｄｂ）の開始予約（風呂張り予約）時刻に置換する制御を行う様に構成されているのが好ましい（請求項４）。
【００２２】
本発明のコージェネレーションシステムの制御方法は、熱電併給装置（１：例えば、燃料電池、ガスエンジン等）と、熱電併給装置（１）で発生した熱を蓄熱する蓄熱装置（貯湯槽２）と、蓄熱装置（２）の蓄熱量を計測する蓄熱量計測装置（Ｔ５〜Ｔ９）と、熱需要における消費熱量を計測する消費熱量計測装置（流量計Ｆ１、温度センサＴ２）と、制御装置（コントロールユニット４）とを備えたコージェネレーションシステムの制御方法において、熱需要を入浴に関する熱需要（「風呂張り需要」等Ｄｂ）とそれ以外の熱需要（Ｄｇ）とに分類し、所定のタイミングで熱需要を予測して運転計画を作成し、蓄熱装置の蓄熱量と予測される熱需要（予測熱需要）とに基づいて運転・停止を判断し、運転計画における入浴予測時刻に入浴に関する熱需要（Ｄｂ）が発生しない場合（入浴予測時刻にユーザーが入浴しない場合）に入浴予測時刻を当初の入浴予測時刻以降に変更し、当該変更後に予測される熱需要（予測熱需要）（Ｄｂ）と蓄熱装置（２）の蓄熱量とに基づいて運転・停止を判断することを特徴としている（請求項５）。
【００２３】
また本発明のコージェネレーションシステムの制御方法は、熱電併給装置（１：例えば、燃料電池、ガスエンジン等）と、熱電併給装置（１）で発生した熱を蓄熱する蓄熱装置（貯湯槽２）と、蓄熱装置（２）の蓄熱量を計測する蓄熱量計測装置（Ｔ５〜Ｔ９）と、熱需要における消費熱量を計測する消費熱量計測装置（流量計Ｆ１、温度センサＴ２）と、制御装置（コントロールユニット４）とを備えたコージェネレーションシステムの制御方法において、熱需要を入浴に関する熱需要（「風呂張り需要」等Ｄｂ）とそれ以外の熱需要（Ｄｇ）とに分類し、所定のタイミングで熱需要を予測して運転計画を作成し、蓄熱装置（２）の蓄熱量と予測される熱需要（予測熱需要）（Ｄｂ）とに基づいて運転・停止を判断し、運転計画における入浴予測時刻に入浴に関する熱需要（Ｄｂ）が発生しない場合（入浴予測時刻にユーザーが入浴しない場合）に入浴予測時刻を当初の入浴予測時刻以降に変更し、当該変更後は蓄熱装置（２）の蓄熱量が閾値（いわゆる「満タン」の蓄熱量、予めユーザーにより設定された蓄熱量等）を超えたか否かにより運転・停止を判断することを特徴としている（請求項６）。
【００２４】
本発明のコージェネレーションシステムの制御方法において、運転計画における入浴予測時刻前に入浴に関する熱需要（Ｄｂ）が発生した場合（入浴予測時刻よりも早い時刻にユーザーが入浴した場合）は入浴予測時刻に予測される消費熱量（入浴予測熱量）をゼロに設定するのが好ましい（請求項７）。
【００２５】
また、本発明のコージェネレーションシステムの制御方法において、運転計画における入浴予測時刻が到達する以前の段階で入浴に関する熱需要（Ｄｂ）の開始予約（風呂張り予約）が行われた場合には、入浴予測時刻を熱需要（Ｄｂ）の開始予約（風呂張り予約）時刻に置換するのが好ましい（請求項８）。
【発明の効果】
【００２６】
上述する構成を具備する本発明によれば、運転計画における入浴予測時刻に入浴に関する熱需要（Ｄｂ）が発生しない場合（入浴予測時刻にユーザーが入浴しない場合）に入浴予測時刻を当初の入浴予測時刻以降に変更し、当該変更後に予測される熱需要（予測熱需要）（Ｄｂ）と蓄熱装置（２）の蓄熱量とに基づいて運転・停止を判断するので（請求項１、請求項５）、入浴予測時刻を経過した時点の蓄熱量の計測が、実際の入浴時刻が経過した時点まで変更（延期）される。
従って、入浴予測時刻よりも遅い時刻にユーザーが入浴した場合に、入浴予測時刻を経過した時点で蓄熱熱量が過剰であると判断して、熱電併給装置（１：例えば、燃料電池、ガスエンジン等）が停止してしまうことが無く、熱電併給装置（１）の運転が継続される。
【００２７】
そして、実際の入浴が行われた場合の熱需要は、熱電併給装置（１：例えば、燃料電池、ガスエンジン等）にとって「予想の範囲内」の熱需要となり、従来技術のように、予測される熱需要に対して蓄熱量が不足すると判断して、停止した熱電併給装置（１）の運転を再開するという事態が防止できる。
【００２８】
このように、熱電併給装置（１）の不必要な運転停止、運転再開を防止することが出来るので、運転再開のための余分なエネルギーを節約することが出来る。それと共に、不必要な運転停止、運転再開を防止することにより、熱電併給装置（１）の寿命を短縮することを防止できる。
【００２９】
本発明において、運転計画における入浴予測時刻に入浴に関する熱需要（Ｄｂ）が発生しない場合（入浴予測時刻にユーザーが入浴しない場合）に、入浴予測時刻を当初の入浴予測時刻以降に変更し、当該変更後は蓄熱装置（２）の蓄熱量が閾値（いわゆる「満タン」の蓄熱量、予めユーザーにより設定された蓄熱量等）を超えたか否かにより運転・停止を判断する様に構成しても（請求項２、請求項６）、入予測時刻を経過した時点の蓄熱量の計測が、実際の入浴時刻が経過した時点まで変更（延期）され、入浴予測時刻を経過した時点で蓄熱熱量が過剰であると判断して、熱電併給装置（１）が停止してしまうことは防止される。
【００３０】
また本発明において、運転計画における入浴予測時刻前に入浴に関する熱需要が発生した場合（入浴予測時刻よりも早い時刻にユーザーが入浴した場合）は入浴予測時刻に予測される消費熱量（入浴予測熱量）をゼロに設定する様に構成すれば（請求項３、請求項７）、入浴した後には、入浴に関する熱需要がゼロに設定されるので、入浴に関する熱需要の分を蓄熱する必要が無くなる。換言すれば、蓄熱装置（２）における過剰な蓄熱を防止して、省エネルギーに寄与することが出来る。
【００３１】
さらに本発明において、運転計画における入浴予測時刻が到達する以前の段階で入浴に関する熱需要の開始予約（風呂張り予約）が行われた場合には、入浴予測時刻を熱需要の開始予約（風呂張り予約）時刻に置換する様に構成すれば（請求項４、請求項８）、ユーザーの予定に合わせた運転制御が可能になると共に、入浴熱需要予測時刻の予測精度が向上する。
【発明を実施するための最良の形態】
【００３２】
以下、添付図面を参照して、本発明の実施形態について説明する。
図１は、本発明を実施するのに適したコージェネレーションシステムの構造を示している。
【００３３】
図１において、コージェネレーションシステム１００は、貯湯槽２と熱源機３とを有する温水供給システム１０と、燃料電池１（熱電併給装置）と、コントロールパネル４０とを装備している。ここで、コントロールパネル４０は、住居２０内に設けた操作手段である。
【００３４】
コントロールパネル４０はコントロールユニット４を有しており、コントロールユニット４は制御手段であり、且つ、コントロールユニット４はデータベース４ｄを内蔵している。更に、コントロールユニット４には、在宅人数を計測するための、例えば室内に配置された複数の赤外線センサ等の在宅人数計測手段ＨＣが接続されている。
明確には図示していないが、電力需要計測用の配線が、住宅内の分電盤からコントロールユニット４に接続されている。燃料電池１の起動時刻等の運転計画を立案し、或いは、運転指令を判断するためである。
そして、コントロールユニット４と燃料電池１とは、運転制御指令信号用ケーブル（図示せず）により、接続されている。
【００３５】
貯湯槽２内に貯留された温水は、循環ラインＬｗを介して燃料電池１に冷却水として供給される。燃料電池１を冷却する際に、燃料電池１が稼働中に発生する熱によって、循環ラインＬｗを循環する水が加熱される。
【００３６】
熱源機３は、給湯ラインＬｈに介装されている。そして、熱源機３は、給湯される湯温が低い場合に予熱或いは加熱を行うための給湯用バックアップバーナ３２と、床暖房７に供給される暖房用温水を加熱するバックアップバーナ３４と、風呂の追い焚き用の熱交換器（図示せず）とを備えている。
【００３７】
熱源機３は回路基板（インターフェース）３１を有しており、その回路基板３１は、コントロールユニット４と、後述する計測手段（流量計、温度センサ等）とバックアップバーナ３２、３４とを接続している。
【００３８】
給湯ラインＬｈにはバイパスラインＬｂが設けられており、バイパスラインＬｂは、給湯ラインＬｈの分岐点Ｐｂ１、合流点Ｐｇ１を連通して、給湯用バックアップバーナ３２をバイパスしている。
明確には図示されていないが、バイパスラインＬｂの分岐点Ｐｂ１に切換え弁を介装し且つ当該切換え弁を制御することにより、給湯ラインＬｈを流れる温水が給湯用バックアップバーナ３２をバイパスして予熱や加熱をさせず、或いは、給湯用バックアップバーナ３２をバイパスさせずに予熱或いは加熱させることができるように構成されている。
【００３９】
風呂の追い焚き用ラインＬａの浴槽５の近傍には、浴槽５内の湯の温度を計測する温度センサＴ１０が介装されている。
【００４０】
給湯ラインＬｈは、分岐点Ｐｂ３を介して、風呂用給湯口５Ｗ、台所用給湯器６に接続されている。給湯ラインＬｈの合流点Ｐｇ１と分岐点Ｐｂ３の間の領域には、分岐点Ｐｂ２が形成されている。分岐点Ｐｂ２と、追い焚きラインＬａの戻り側に形成された合流点Ｐｇ２とは、ラインＬｃで連通されている。
【００４１】
給湯ラインＬｈにおいて、貯湯槽２と分岐点Ｐｂ１の間の領域には、給湯温度を計測する第１のセンサＴ１が介装されており、合流点Ｐｇ１と分岐点Ｐｂ２との間の領域には、第２の温度センサＴ２及び第１の流量計Ｆ１が介装されている。
追い焚き用ラインＬａにおいて、合流点Ｐｇ２の上流側（浴槽５側）には、第３の温度センサＴ３及び第２の流量計Ｆ２が介装されている。
給湯ラインＬｈと追い焚きラインＬａとを接続するラインＬｃには、第３の流量計Ｆ３が介装されている。
追い焚きラインＬａにおいて、合流点Ｐｇ２と浴槽５との間の領域には、浴槽５内の湯の量（水位）を計測するための水位計Ｓｗが介装されている。
【００４２】
貯湯槽２には、上水供給ラインＬｍによって上水が供給される。
給湯ラインＬｈにおいて、貯湯槽２と第１の温度センサＴ１との間の領域を流れる温水の温度が高温過ぎる場合には、当該領域を流れる温水の温度を降温する（温度調整をする）ために、温度が低い上水が上水供給ラインＬｎによって加えられるように配管されている。
【００４３】
上水供給ラインＬｍには、給水の温度を計測する第４の温度センサＴ４が開送されている。
貯湯槽２内には、上方から順に第５の温度センサＴ５〜第９の温度センサＴ９が設置されており、温度センサＴ５〜Ｔ９の検出信号ライン（図１において、点線で示すライン）はコネクタＣに接続され、コネクタＣは信号ラインＬｔによって、住居２０内のコントロールユニット４に接続されている。
【００４４】
温度センサＴ１〜Ｔ３及び流量計Ｆ１、Ｆ２は回路基板（インターフェース）３１に接続され、回路基板３１はコネクタ３１ｃを介して、信号ラインＬｔｆにより、住居２０内のコントロールユニット４に接続されている。
コントロールユニット４に内装されたデータベース４ｄは、回路基板３１を経由して入力された熱源機３側の温度センサＴ１〜Ｔ３及び流量計Ｆ１、Ｆ２からの情報を記憶すると共に、コントロールユニット４を経由して入力された温度センサＴ４〜Ｔ１０からの情報を記憶している。
【００４５】
ここで、給湯暖房熱源機の通信手段として、給湯設定温度の変更や暖房運転の指令などにリモコンが用意されている。近年の給湯暖房熱源機では、リモコンのような通信手段に加えて、給湯暖房熱源機の機器内部情報の取得（回路基板のコネクタ３１ｃに接続して通信線、例えばＲＳ２３２Ｃ規格のシリアル通信等の電文フォーマットにより取得する）や、特定動作の指示が可能な仕組みを保有している。生産ラインの効率化や、販売後の機器メンテナンスのために係る仕組みを活用し、さらに、ネットワークと接続して遠隔操作が可能なようにせしめている。
【００４６】
換言すれば、図示の実施形態は、近年の給湯暖房熱源機において既に内蔵されている各種センサを用いており、コネクタ３１ｃにセンサ等を新規に付加する必要が無いので、導入コストの面で特に優れている。
【００４７】
コージェネレーションシステム１００のメンテナンス作業は、ハンドヘルドコンピュータＨのピンを、回路基板３１のコネクタ３１ｃの各々の項目別に設けられた接続孔（図示せず）に接続して、種々の項目に関して故障診断、又はチェックすることにより、行われる。
【００４８】
ここで、給湯需要を予測するためには、毎時刻の給湯需要をデータベースに蓄積しておく必要がある。
図２を参照して、本実施形態において、賄うことの出来る給湯需要の種類（区分）と、その種類によって区別される記憶（登録）先について、以下に説明する。
【００４９】
先ず、給湯需要（ここでは熱量として扱う）は「風呂需要以外の需要」Ｄｍ１と「風呂需要」Ｄｍ２と、に大別される。「風呂需要以外の需要」Ｄｍ１としては、例えば、台所、洗面所等における給湯需要がある。「風呂需要」Ｄｍ２は、浴槽に直接供給される需要を意味しており、その意味で「シャワー」は「風呂需要」Ｄｍ２には該当しない。
「風呂需要」Ｄｍ２には、足し湯運転時における熱需要と、自動運転時における熱需要とが有り、自動運転時には、「足し湯」Ｑｔａによる給湯需要と、「自動湯張り」Ｑｙｕによる給湯需要がある。ここで、「足し湯」Ｑｔａによる給湯需要は、浴槽内の湯が使用されて水位が低下した際に、設定水位まで自動的に足し湯をされてしまう場合の給湯需要である。
【００５０】
一方、記憶（登録）先のデータベースとしては、「自動湯張り」Ｑｙｕの際の熱需要を記憶する「風呂湯張りデータベース」Ｄｂと、「自動湯張り以外（シャワーの様に同じ給湯配管系を経由して供給される給湯需要を含む）」の一般給湯の熱需要Ｑｇを記憶する「一般給湯データベース」Ｄｇとがある。
「自動湯張り」Ｑｙｕが家庭における１日の最大の給湯需要であり、これを確実に予測することが重要である。そのため、データベースを「風呂張りデータベース」Ｑｂと、「一般給湯データベース」Ｄｇとに二分している。
なお、自動運転時における「足し湯」Ｑｔａ等は、その熱量が多くはないので、その他の需要Ｑｇに分類する。
【００５１】
ここで、「ぬる湯（ぬるい湯にするための操作）」、「追い焚き」は、「一般給湯データベース」Ｄｇにも「風呂湯張りデータベース」Ｑｂにも該当しない。「ぬる湯」は水を足すのみであり、「追い焚き」は浴槽内のぬるくなった湯を加熱して昇温するだけであり、何れも貯湯槽２内の湯を使用せず、燃料電池１の運転計画に直接関係しないので、データベースとして記憶する必要がないからである。
但し、「追い焚き」を行う際に貯湯槽２内に配管を通し、貯湯槽２における熱交換により間接的に貯湯槽２内の熱（蓄熱、温水）を利用するシステムも有り、そのようなシステムを採用している場合には、追い焚きのデータは「一般給湯データベース」Ｄｇに分類される。
【００５２】
なお、最も熱需要が大きな「自動湯張り」の熱需要Ｑｙｕの計測に当たって、貯湯槽２からの給湯の内、バックアップバーナ３２で加熱する場合には、バックアップバーナ３２による加熱に要した熱量を、給湯に要した全熱量から減算する必要がある。
【００５３】
図３〜図８は、それぞれ、本発明の第１実施形態〜第６実施形態に係る制御を示している。
本発明の第１実施形態〜第６実施形態に係る制御は、何れも、図１で示す様なコージェネレーションシステムについて実行される。
先ず、図３を参照して、第１実施形態における制御について説明する。
【００５４】
図３において、コントロールユニット４は、運転計画を作成するタイミングになるまで待機する（ステップＳ１がＮＯのループ）。
運転計画を作成するタイミングになった時には（ステップＳ１がＹＥＳ）、貯湯槽２の温度センサＴ５〜Ｔ９によって蓄熱量を計測する（ステップＳ２）。それと共に、給湯ラインＬｈに介装した流量計Ｆ１、温度センサＴ２及び図示しない電力計によって、それまでの消費熱量及び消費電力を計測し、データベース４ｄに記憶された過去のデータから、それ以降の熱需要及び電力需要を予測する（ステップＳ２）。
【００５５】
ステップＳ３では、コントロールユニット４は、現時点が予測された入浴時刻を過ぎており、且つ、入浴がまだ行われていない（換言すれば、「風呂張り需要」等の入浴における熱需要が未だに発生していない）状況か否かを判断する。
現時点が入浴予測時刻を過ぎており、且つ、入浴がまだ行われていない（風呂張り需要が未だに発生していない）のであれば（ステップＳ３がＹＥＳ）、ステップＳ４に進む。
現時点が入浴予測時刻を過ぎていない場合や、現時点が入浴予測時刻を過ぎていても既に入浴が終了しており、或いは入浴中であれば（ステップＳ３がＮＯ：例えば、風呂張り需要が既に発生している状態）、ステップＳ６まで進む。
【００５６】
ステップＳ４では、その時点において運転計画上の１日の区切り時刻（例えば午前４時）を過ぎたか否かを判断し、区切り時刻を過ぎていれば（ステップＳ４がＹＥＳ）、ステップＳ６に進む。ここで、ステップＳ４がＹＥＳでステップＳ６に進むということは、従来技術における制御と同一であることを意味している。すなわち、入浴が行われない状態が運転計画上の１日の区切り時刻（例えば午前４時）を過ぎた場合には、第１実施形態に係る制御は行わず、従来と同様の制御を行うのである。
【００５７】
区切り時刻を過ぎていなければ（ステップＳ４がＮＯ）、ステップＳ５に進み、入浴予測時刻をその時点以降の時刻へ書き換えるように予測熱需要を修正する。した後、ステップＳ６に進む。
ステップＳ４における「運転計画上の１日の区切り時刻」（例えば午前４時）は、近年において、いわゆる「深夜族」の増加に伴い、入浴時間が深夜の２４時を越えてしまうケースが増えてきたことを勘案して、十分に遅い時刻を設定するのが好ましい。
【００５８】
ステップＳ６において、コントロールユニット４は、その時点における貯湯槽２の蓄熱量が、予測熱需要に対して十分であるか否かを判断する。すなわち、ステップＳ６において熱需要の予測を行い、予測熱需要と蓄熱量とを比較するのである。
貯湯槽２の蓄熱量が予測熱需要に対して十分に多ければ（ステップＳ６がＹＥＳ）、コージェネレーションシステム１００における燃料電池１の運転を行わず（ステップＳ７）、ステップＳ１まで戻る。
貯湯槽２の蓄熱量が予測熱需要に対して十分に多くなければ（ステップＳ６がＮＯ）ステップＳ８に進み、貯湯槽２の蓄熱量が限界値（或いは運転停止設計値）を越えているか否かを判断する（ステップＳ８）。
【００５９】
ここで、ステップＳ８の「限界値」としては、例えば、貯湯槽２の蓄熱量が、いわゆる「満タン」となった場合における蓄熱量の値である。
また、「運転停止設計値」は、例えば、ユーザーが使用状況に対応して適宜設定した蓄熱量の値である。
【００６０】
貯湯槽２における蓄熱量が限界値（又は運転停止設計値）を越えていれば（ステップＳ８がＹＥＳ）、コージェネレーションシステム１００における燃料電池１を運転しないで（ステップＳ７）、ステップＳ１まで戻る。
貯湯槽２における蓄熱量が限界値（又は運転停止設計値）に達していなければ（ステップＳ８がＮＯ）、燃料電池１を運転して（ステップＳ９）、電力需要に対処しつつ、貯湯槽２の蓄熱量を増加する。そして、ステップＳ１まで戻り、再びステップＳ１以降を繰り返す。
【００６１】
図３を参照して説明した第１実施形態に係る制御を用いれば、入浴予測時刻にユーザーが入浴しない場合に（ステップＳ３がＹＥＳ）、入浴予測時刻を当初の入浴予測時刻以降に変更し（ステップＳ５）、入浴予測時刻を変更した後に予測される熱需要と、貯湯槽２の蓄熱量とを比較して運転・停止を判断している（ステップＳ６）。そのため、貯湯槽２の蓄熱量の計測が、入浴予測時刻を経過した時点ではなく、実際の入浴が行われる時点まで延期される。
【００６２】
従って、入浴予測時刻よりも遅い時刻にユーザーが入浴した場合において、図９で示す従来技術の場合の様に、入浴していないにも拘らず、入浴予測時刻を経過した時点で蓄熱熱量が過剰であると判断して、燃料電池１を停止させてしまうことが無い。
図３で示す第１実施形態に係る制御において、当初の入浴予測時刻（例えば、午後９時）よりも遅い時刻（例えば、午後１０時）にユーザーが入浴した場合を考える。そして、ステップＳ５において、入浴予測時刻が延期されるのは、例えば１０分後であると仮定する。
【００６３】
そのように仮定された状況において、午後９時の時点では、ステップＳ３が「ＹＥＳ」の状態となり、ステップＳ５において入浴予測時刻が１０分間延期されて、午後９時１０分となる。
その状態において、ステップＳ６では、入浴予測時刻が既に午後９時１０分まで延期されているので、午後９時の時点では、その１０分後に入浴による熱需要が生じるとして、予測熱需要を求めることとなる。すなわち、午後９時の時点で予測される熱需要は、入浴による熱需要を包含している。
【００６４】
従って、入浴が行われていない午後９時の段階における貯湯槽２の蓄熱量が多くても、その１０分後（午後９時１０分）に発生が予測される入浴による熱需要に対しては、必ずしも十分多いとは言えない、と判断される（ステップＳ６がＮＯ）。換言すれば、ステップＳ５において入浴予測時刻が午後９時１０分まで延期された結果、午後９時の段階におけるステップＳ６では、入浴による熱需要を包含している予測熱需要と、午後９時の時点における貯湯槽２の蓄熱量とが比較される（ステップＳ６）。そのため、午後９時の時点で計測された貯湯槽２の蓄熱量（ステップＳ２）が、予測される熱需要（午後９時１０分の時点で発生する入浴の熱需要を含む）に対して十分に多い、と判断されてしまうことはなく、ステップＳ６はＹＥＳとなり、燃料電池１の運転は継続され（ステップＳ９）、従来技術（図１１のＴ１〜Ｔ２）で示すように、簡単に停止してしまうことはない。
【００６５】
午後１０時以降に入浴をした場合に、ステップＳ３がＹＥＳのループを複数回（６回）繰り返し、ステップＳ５により入浴時間が延期されているので、午後１０時における入浴による熱需要は、予測通りの熱需要に他ならない。そのため、コントロールユニット４が「予期しない熱需要が発生した」として、燃料電池１或いは熱源機３に対して運転開始を要求してしまうことは無く、貯湯槽２の温水によって入浴の熱需要が賄われる。
入浴が完了した後は、ステップＳ３はＮＯとなるので、入浴予測時刻がさらに延期されることは無くなる。そして、予測熱需要は既に入浴による熱需要を包含しなくなり、それ以降の予測熱需要は少ない熱量に留まる。ここで、入浴が完了しているため、貯湯槽２における蓄熱量は、減少する。
【００６６】
このように、図３で示す第１実施形態では、図１１のＴ１〜Ｔ２で示す様な燃料電池１の不必要な運転停止、運転再開を防止することが出来る。そのため、運転再開のための余分なエネルギーを節約することが出来る。それと共に、不必要な運転停止、運転再開の防止によって、熱電併給装置（燃料電池）１の寿命の延命が図られる。
【００６７】
図９は、第１実施形態の運転制御方法によってコージェネレーションシステム１００を運転した場合の、１日の発電電力（太い実線）、電力需要（細い破線）及び貯湯槽の蓄熱率（１点鎖線）の変化を記録したものである。
図３の第１実施形態では、入浴予測時刻を午後９時として説明しているが、図９の例では、入浴予測時刻を１７時としている。図９においても、入浴予測時刻には入浴が行われていないが、図３のステップＳ５で示すように、入浴予測時刻を所定時間（例えば、１０分間）延期することにより、図１１のＴ１〜Ｔ２で示す様に、燃料電池１が停止してしまう事態が防止できる。
【００６８】
次に、図４を参照して、第２実施形態に係る制御について説明する。
図３の第１実施形態の運転制御方法では、予測入浴時刻を過ぎており、且つ、入浴がまだ行われていない場合（ステップＳ３がＹＥＳ）に、運転計画上の１日の区切り時刻（図示の例では午前４時）に未だ達していなければ（ステップＳ４がＮＯ）、入浴予測時刻を、所定時間ずつ（例えば、１０分ずつ：制御フローの１サイクルと同じ時間だけ、遅らせている）、現在時刻以降に書き換える（入浴時刻を延期する）して（ステップＳ５）、予測熱需要を修正している（ステップＳ６）。
【００６９】
それに対して、図４で示す第２実施形態に係る運転制御では、予測入浴時刻が過ぎており、且つ、入浴がされていなければ（ステップＳ３がＹＥＳ）、それ以降は予測熱需要を求めることなく（ステップＳ６を実行しない）、貯湯槽２の蓄熱量が限界値（又は運転停止設計値）に達しているか否か（ステップＳ８）のみを判断基準として、燃料電池１の運転を行うか（ステップＳ９）、燃料電池１の運転を停止するか（ステップＳ７）を判断する。
【００７０】
図４で示す第２実施形態に係る運転制御においても、運転計画上の１日の区切り時刻（図示の例では午前４時）に到達した場合には（ステップＳ４がＹＥＳ）、上述した従来技術と同様の制御を行う。
換言すれば、概説した第２実施形態に係る運転制御は、運転計画上の１日の区切り時刻（図示の例では午前４時）に到達していない場合に（ステップＳ４がＮＯ）、実行される。
【００７１】
図４の第２実施形態に係る運転制御では、図３の第１実施形態の運転制御に対して、図３のステップＳ５を廃止して、ステップＳ４がＮＯである場合に、ステップＳ６を実行することなく、ステップＳ８に進むのである。そして、図４の第２実施形態に係る運転制御では、予測入浴時刻を経過しても入浴しない場合には、（ステップＳ３がＹＥＳ）、ステップＳ６を実行しないので、熱需要の予測が行われることはなく、貯湯槽２の蓄熱量が限界値（又は運転停止設計値）に達しているか否か（ステップＳ８）のみが、燃料電池１の運転、停止の判断基準となる。
上記以外については、図３で示す第１実施形態に係る制御と同様である。
【００７２】
図４の第２実施形態は、予測入浴時刻を経過しても入浴しない場合には（ステップＳ３がＹＥＳ）、熱需要の予測が行われなくなる（ステップＳ６が実行されない）ので、図３の第１実施形態に係る制御に比較して、制御が若干粗くなる。しかし、制御が粗くなった分だけ、制御に係るソフトウェアを廉価に仕上げることが出来るのである。
【００７３】
次に図５を参照して、第３実施形態に係る運転制御について説明する。
図３、図４で示す制御は、運転計画における予測入浴時刻になっても入浴しない場合の制御であるが、図５で示す制御は、運転計画における予測入浴時刻よりも早い時間帯に入浴された場合の制御である。
図５において、ステップＳ１、Ｓ２、Ｓ６〜Ｓ９は、図３の第１実施形態或いは図４の第２実施形態と同様である。
【００７４】
図５のステップＳ３３では、コントロールユニット４は、例えば風呂の操作盤（図示せず）等を操作したか否かを検知する等の手法を用いて、入浴予測時刻前に入浴したか否かを判断する。
入浴予測時刻前に入浴している場合には（ステップＳ３３がＹＥＳ）、入浴予測熱量をゼロに書き換え、入浴予測時刻をクリアするように予測熱需要を修正する（ステップＳ３４）。
【００７５】
ステップＳ３４において入浴予測時刻がクリアされることにより、入浴以降における予測熱需要から、入浴に関する熱需要が削除されることとなる。従って、ステップＳ６で予測熱需要と蓄熱量とを比較するに際して（ステップＳ６）、既に入浴が行われて、それ以降は入浴による熱需要が発生しないにも拘らず、貯湯槽２の蓄熱量が不足している、と判定される恐れが無くなる。
なお、入浴予測時刻前に入浴していない場合には（ステップＳ３３がＮＯ）、そのままステップＳ６に進む。この場合は、従来技術における制御と同様である。
【００７６】
図５の第３実施形態によれば、入浴予測時刻前に入浴しても、入浴した後には、入浴に関する熱需要がゼロに設定され、予測熱需要には入浴による熱需要が包含されなくなる。そのため、入浴が完了しているにも拘らず、入浴に備えて貯湯槽２の蓄熱量を増加することが防止される。換言すれば、貯湯槽２において過剰な蓄熱をすることを防止する事が出来る。そのため、省エネルギーに寄与することが出来る。
【００７７】
次に、図６を参照して、第４実施形態に係る運転制御について説明する。
図６の第４実施形態は、コントロールユニット４が、運転計画における入浴予測時刻が到達する以前の段階で風呂張り予約が行われたか否かを判断し、風呂張り予約が行われていれば、入浴予約時刻を風呂張り予約時刻に書き換え、その風呂張り予約時刻に対応するように、予測熱需要を修正する運転制御である。
【００７８】
図６において、ステップＳ１、Ｓ２、Ｓ６〜Ｓ９は、図３〜図５で示す実施形態と同様である。
ステップＳ４３では、コントロールユニット４は、運転計画における入浴予測時刻が到達する前に、風呂張り予約が行われたか否かを判断する。
【００７９】
運転計画における入浴予測時刻が到達する以前に風呂張り予約が行われたのであれば（ステップＳ４３がＹＥＳ）、運転計画における入浴予約時刻を風呂張り予約時刻に書き換え、その風呂張り予約時刻に対応するように予測熱需要を修正する（ステップＳ４４）。
運転計画における入浴予測時刻が到達する前に風呂張り予約が行われなかった場合には（ステップＳ４３がＮＯ）、そのままステップＳ６に進み、従来技術と同様な制御が行われる。ここで、風呂張り予約がされる以前に、運転計画における入浴予測時刻となった場合において、図３或いは図４の何れかで示す様な制御を実行することも可能である。
【００８０】
第４実施形態によれば、入浴予測時刻を風呂張り予約時刻に変更するので、図示の実施形態に係るシステムのユーザーのライフスタイルに合わせた運転制御が可能になると共に、熱需要（入浴に関する熱需要）の予測精度が向上する。
【００８１】
次に、図７を参照して、第５実施形態に係る運転制御について説明する。
図７で示す第５実施形態は、図３の第１実施形態と、図５の第３実施形態と、図６の第４実施形態とを組み合わせた制御である。
【００８２】
図７において、ステップＳ５１、Ｓ５２、ステップＳ６０〜Ｓ６３は、それぞれ、図３〜図６におけるステップＳ１、Ｓ２、ステップＳ６〜Ｓ９と同様である。
ステップＳ５３、Ｓ５４は、図６の第４実施形態に係る制御におけるステップＳ４３、Ｓ４４に相当する。すなわち、コントロールユニット４は、運転計画における入浴予測時刻が到達する以前の段階で風呂張り予約が行われたか否かを判断する（ステップＳ５３）。
運転計画における入浴予測時刻が到達する以前の段階で風呂張り予約が行われた場合には（ステップＳ５３がＹＥＳ）、入浴予約時刻を風呂張り予約時刻に書き換えて、予測熱需要を修正する（ステップＳ５４）。そして、ステップＳ６０に進む。
【００８３】
運転計画における入浴予測時刻が到達する以前の段階で風呂張り予約が行われていない場合には（ステップＳ５３がＹＥＳ）、ステップＳ５５に進む。
ステップＳ５４、ステップＳ５５は、図５の第３実施形態に係る制御におけるステップＳ３３、Ｓ３４に対応している。
すなわち、ステップＳ５５では、入浴予測時刻より前に入浴がされたか否かを判断する。入浴予測時刻以前に入浴された場合には（ステップＳ５５がＹＥＳ）、入浴予測熱量をゼロに書き換え、予測熱需要を修正する（ステップＳ５６）。そして、ステップＳ６０まで進む。
【００８４】
入浴予測時刻を既に越えていれば（ステップＳ５５がＮＯ）、ステップＳ５７で入浴予測時刻を過ぎて、且つ入浴が行われていない状況か否かを判断する。
ステップＳ５７〜Ｓ６３は、図３の第１実施形態に係る制御におけるステップＳ３〜Ｓ９と同様である。
すなわち、入浴予測時刻を過ぎても入浴がされていなければ（ステップＳ５７がＹＥＳ）、ステップＳ５８に進む。
【００８５】
ステップＳ５８では、運転計画上の１日の区切り時刻（ここでは午前４時）を過ぎたか否かを判断し、区切り時刻を過ぎていなければ（ステップＳ５８がＮＯ）、ステップＳ５９で、入浴予測時刻を現在時刻以降へ書き換えるように予測熱需要を修正した後、ステップＳ６０に進む。
入浴予測時刻を現在時刻以降へ書き換えた結果、予測熱需要も修正され、修正された予測熱需要とその時点における貯湯槽２の蓄熱量が比較される（ステップＳ６０）。
【００８６】
蓄熱量が予測熱需要に対して十分であれば（ステップＳ６０がＹＥＳ）、燃料電池１を運転しないで（ステップＳ６１）、ステップＳ５１まで戻る。
蓄熱量が予測熱需要に対して十分でなければ（ステップＳ６０がＮＯ）、蓄熱量が限界（又は運転停止設計値）か否かを判断する（ステップＳ６２）。
蓄熱量が限界（又は運転停止設計値）であれば（ステップＳ６２がＹＥＳ）、燃料電池１を運転しないで（ステップＳ６１）、ステップＳ５１まで戻る。蓄熱量が限界（又は運転停止設計値）に達していなければ（ステップＳ６２がＮＯ）、燃料電池１を運転して（ステップＳ６３）、ステップＳ５１まで戻る。
【００８７】
図７の第５実施形態における構成及び作用効果は、図３の第１実施形態、図５の第３実施形態、図６の第４実施形態を組み合わせたこととなり、その相乗効果により、ユーザーにとっては使い勝手が良好となると共に、入浴熱需要予測時刻の予測精度が向上する。
【００８８】
そして、従来技術のように入浴時において燃料電池１の停止及び運転再開が生じてしまうことが防止できる。
その結果、運転再開のための余分なエネルギーを節約することが出来る。それと共に、不必要な運転停止、運転再開の防止による燃料電池１の寿命に対する悪影響も防止できる。
【００８９】
次に、図８を参照して、第６実施形態に係る運転制御について説明する。
図８の第６実施形態の運転制御は、図４の第２実施形態に係る運転制御と、図５の第３実施形態に係る運転制御と、図６の第４実施形態に係る運転制御を組み合わせている。
【００９０】
図８において、ステップＳ７１、Ｓ７２は、それぞれ、図３〜図６におけるステップＳ１、Ｓ２と同様である。
ステップＳ７３、Ｓ７４は、図６の第４実施形態に係る制御におけるステップＳ４３、Ｓ４４に相当する。
ステップＳ７５、Ｓ７６は、図５の第３実施形態に係る制御におけるステップＳ３３、Ｓ３４に相当する。
そして、ステップＳ７７、Ｓ７８、Ｓ８０、Ｓ８１〜Ｓ８３は、図４の第２実施形態におけるステップＳ３、Ｓ４、Ｓ６〜Ｓ９に相当する。
【００９１】
図８の第６実施形態では、予測入浴時刻を経過しても入浴しない場合には、（ステップＳ７７がＹＥＳ）、ステップＳ８０を実行せず、熱需要の予測が行われず、貯湯槽２の蓄熱量が限界値（又は運転停止設計値）に達しているか否か（ステップＳ８２）のみで、燃料電池１の運転、停止を判断する。
そして、予測入浴時刻を経過しても入浴しない場合に熱需要の予測が行われなくなる（ステップＳ８０が実行されない）ので、図７の第５実施形態に係る制御に比較して、制御が若干粗くなる。しかし、制御が粗くなった分だけ、制御に係るソフトウェアを廉価に仕上げることが出来るのである。
【００９２】
図示の実施形態はあくまでも例示であり、本発明の技術的範囲を限定するものではないことを付記する。
例えば、図示の実施形態では、熱電併給装置として燃料電池が示されているが、ガスエンジンを熱伝併給装置として用いても良い。
【図面の簡単な説明】
【００９３】
【図１】本発明の実施形態のコージェネレーションシステム全体の構成を示したブロック図。
【図２】給湯需要の分類と、分類した給湯需要のデータを保存するべきデータベースに分類して表した表。
【図３】本発明の第1実施形態に係る制御を示すフローチャート。
【図４】本発明の第２実施形態に係る制御を示すフローチャート。
【図５】本発明の第３実施形態に係る制御を示すフローチャート。
【図６】本発明の第４実施形態に係る制御を示すフローチャート。
【図７】本発明の第５実施形態に係る制御を示すフローチャート。
【図８】本発明の第６実施形態に係る制御を示すフローチャート。
【図９】本発明の実施形態を運転した場合の発電電力、電力需要、タンク蓄熱量の1日の変化を示した実測グラフを示す図。
【図１０】従来技術におけるシステムの制御を示すフローチャート。
【図１１】従来技術におけるシステム制御によって運転した場合の発電電力、電力需要、タンク蓄熱量の1日の変化を示した実測グラフを示す図。
【符号の説明】
【００９４】
Ｈ・・・ハンドヘルドコンピュータ
Ｌａ・・・追い焚き用ライン
Ｌｈ・・・給湯ライン
Ｌｍ、Ｌｎ・・・上水ライン
Ｌｔ、Ｌｔｆ・・・信号ライン
Ｌｗ・・・循環ライン
１・・・燃料電池
２・・・貯湯槽
３・・・熱源機
４・・・コントロールユニット
４ｄ・・・データベース
５・・・浴槽
５Ｗ・・・風呂用給湯口
６・・・給湯器
７・・・暖房システム
１０・・・温水給湯システム
２０・・・住居
３１・・・回路基板／インターフェース
３２・・・給湯用バックアップバーナ
３４・・・暖房用バックアップバーナ
４０・・・コントロールパネル
１００・・・コージェネレーションシステム
【図１】
2008032245.tif 000003
【図２】
2008032245.tif 000004
【図３】
2008032245.tif 000005
【図４】
2008032245.tif 000006
【図５】
2008032245.tif 000007
【図６】
2008032245.tif 000008
【図７】
2008032245.tif 000009
【図８】
2008032245.tif 000010
【図９】
2008032245.tif 000011
【図１０】
2008032245.tif 000012
【図１１】
2008032245.tif 000013